【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
複数の産業用携帯型装置を管理するシステムであって、
前記複数の産業用携帯型装置のそれぞれの中の現在のコンテンツの指示を保存する携帯型装置コンテンツ情報レポジトリと、
前記産業用携帯型装置の様々なものに保存され、実行されるコンテンツを保存するコンテンツレポジトリと、
セキュアな通信接続を介して前記コンテンツレポジトリに通信可能に接続されて、前記複数の産業用携帯型装置の様々なもののコンテンツを受信し、前記携帯型装置コンテンツ情報レポジトリに通信可能に接続されて、前記産業用携帯型装置の１つ以上の中の現在のコンテンツについて前記携帯型装置コンテンツ情報レポジトリへ情報を提供するフリート管理ステーションと、
前記携帯型装置コンテンツ情報レポジトリ及び前記コンテンツレポジトリに結合され、コンピュータのプロセッサを介して実行して、前記複数の産業用携帯型装置の１つ以上の中の前記現在のコンテンツの指示に基づいて、及び前記コンテンツレポジトリの入手可能なコンテンツに基づいて、前記産業用携帯型装置の１つ以上に提供されるコンテンツを判定し、かつ判定したコンテンツを前記フリート管理ステーションへ通知するために実行するコンテンツマネージャとを備える、システム。
【請求項２】
前記コンテンツレポジトリが、ソフトウェアアプリケーション、フィールドデバイスドライバ、ユーザ支援情報、技術支援情報、及びファームウェア特性のうちの１つ以上を含むコンテンツを保存する、請求項１に記載の複数の産業用携帯型装置を管理するシステム。
【請求項３】
前記コンテンツレポジトリがソフトウェアアプリケーションのバージョンを含むコンテンツを保存する、請求項１又は請求項２に記載の複数の産業用携帯型装置を管理するシステム。
【請求項４】
前記コンテンツレポジトリが、ソフトウェアアプリケーションのアップグレードを含むコンテンツを保存する、請求項１乃至請求項３のいずれか１項に記載の複数の産業用携帯型装置を管理するシステム。
【請求項５】
前記コンテンツマネージャ及び前記フリート管理ステーションに通信可能に結合される通知装置をさらに備え、前記コンテンツマネージャが新しいコンテンツが前記複数の産業用携帯型装置のうちの１つ用に入手可能と判定した場合、前記通知装置が、電子通信を介して、前記フリート管理ステーションに通知を送信する、請求項１乃至請求項４のいずれか１項に記載の複数の産業用携帯型装置を管理するシステム。
【請求項６】
前記コンテンツマネージャがビジネスコンピュータに通信可能に結合されて、購入または認可を介して新しいコンテンツの取得の指示を受信し、前記コンテンツマネージャが、コンピュータのプロセッサを介して実行して、前記複数の産業用携帯型装置の１つ以上の中の前記現在のコンテンツの指示に基づいて、かつ新しいコンテンツの取得の指示に基づいて、前記新しいコンテンツを前記産業用携帯型装置の１つ以上に提供するかどうか判定する、請求項１乃至請求項５のいずれか１項に記載の複数の産業用携帯型装置を管理するシステム。
【請求項７】
前記携帯型装置コンテンツ情報レポジトリが、携帯型装置構成情報を保存し、前記コンテンツマネージャがコンピュータのプロセッサを介して実行して、前記複数の産業用携帯型装置の１つ以上の中の前記現在のコンテンツの指示に基づいて、かつ前記携帯型装置構成情報に基づいて、コンテンツを前記産業用携帯型装置の１つ以上に提供するかどうかを判定する、請求項１乃至請求項６のいずれか１項に記載の産業用携帯型装置を管理するシステム。
【請求項８】
前記フリート管理ステーションが、プロセッサ上で実行して、前記フリート管理ステーションのユーザが、前記携帯型装置構成情報を提供し、前記携帯型装置構成情報を前記携帯型装置コンテンツ情報レポジトリへ送信できるようにする構成モジュールを含む、請求項７に記載の複数の産業用携帯型装置を管理するシステム。
【請求項９】
前記構成モジュールが、前記フリート管理ステーションのユーザが、１つ以上の保存された構成形式を介して、前記携帯型装置構成情報を提供できるようにする、請求項８に記載の複数の産業用携帯型装置を管理するシステム。
【請求項１０】
前記構成モジュールが、前記フリート管理ステーションのユーザが、単一の構成フォームを介して、前記複数の産業用携帯型装置の複数のものに前記携帯型装置構成情報を提供できるようにする、請求項８又は請求項９に記載の複数の産業用携帯型装置を管理するシステム。
【請求項１１】
前記構成モジュールが、前記フリート管理ステーションのユーザが、共通の構成フォームを使用して前記複数の産業用携帯型装置の群に前記携帯型装置構成情報を提供できるようにする、請求項８乃至請求項１０のいずれか１項に記載の複数の産業用携帯型装置を管理するシステム。
【請求項１２】
前記構成モジュールが、前記フリート管理ステーションのユーザが、前記産業用携帯型装置の１つ以上の認可されたユーザの指示の形態で前記携帯型装置構成情報を提供できるようにする、請求項８乃至請求項１１のいずれか１項に記載の複数の産業用携帯型装置を管理するシステム。
【請求項１３】
前記構成モジュールが、前記フリート管理ステーションのユーザが、前記産業用携帯型装置の１つ以上が限られている、認可された使用の指示の形態で前記携帯型装置構成情報を提供できるようにする、請求項８乃至請求項１２のいずれか１項に記載の複数の産業用携帯型装置を管理するシステム。
【請求項１４】
前記構成モジュールが、前記フリート管理ステーションのユーザが、前記産業用携帯型装置の１つ以上で使用するために実施する１つ以上のセキュリティ手順の指示の形態で前記携帯型装置構成情報を提供できるようにする、請求項８乃至請求項１３のいずれか１項に記載の複数の産業用携帯型装置を管理するシステム。
【請求項１５】
前記構成モジュールが、前記フリート管理ステーションのユーザが、各レベルが異なる構成パラメータを有する、産業用携帯型装置と関連する１つ以上のレベルの構成の指示の形態で、前記携帯型装置構成情報を提供できるようにする、請求項８乃至請求項１４のいずれか１項に記載の複数の産業用携帯型装置を管理するシステム。
【請求項１６】
前記携帯型装置コンテンツ情報レポジトリ、前記コンテンツレポジトリ、及び前記コンテンツマネージャが、第１の通信ネットワークに配置され、前記フリート管理ステーションが、セキュアな通信リンクを介して前記第１の通信ネットワークに結合される第２の通信ネットワークに配置される、請求項１乃至請求項１５のいずれか１項に記載の複数の産業用携帯型装置を管理するシステム。
【請求項１７】
前記セキュアな通信リンクが、前記フリート管理ステーションと前記コンテンツレポジトリとの間のセキュアな通信を可能にするファイアウォール装置と含む、請求項１６に記載の複数の産業用携帯型装置を管理するシステム。
【請求項１８】
前記コンテンツマネージャが、第１の通信ネットワークに配置され、前記フリート管理ステーションが、セキュアな通信リンクを介して前記第１の通信ネットワークに結合される第２の通信ネットワークに配置される、請求項１乃至請求項１７のいずれか１項に記載の複数の産業用携帯型装置を管理するシステム。
【請求項１９】
前記コンテンツマネージャ及び前記コンテンツレポジトリが、第１の通信ネットワークに配置され、前記フリート管理ステーションが、セキュアな通信リンクを介して前記第１の通信ネットワークに結合される第２の通信ネットワークに配置され、さらに前記第２の通信ネットワークに配置され、前記フリート管理ステーションに結合される二次コンテンツレポジトリを含み、前記フリート管理ステーションが、前記第１の通信ネットワーク内の前記コンテンツレポジトリから前記二次コンテンツレポジトリへ新しいコンテンツをダウンロードし、前記二次コンテンツレポジトリが、前記産業用携帯型装置の１つ以上へ前記新しいコンテンツをダウンロードする、請求項１乃至請求項１８のいずれか１項に記載の複数の産業用携帯型装置を管理するシステム。
【請求項２０】
前記第２の通信ネットワークに無線通信アクセスポイントをさらに含み、前記産業用携帯型装置の１つ以上が、前記第２の通信ネットワークの前記無線アクセスポイントを介して、前記二次コンテンツレポジトリに接続して、新しいコンテンツをダウンロードする、請求項１９に記載の複数の産業用携帯型装置を管理するシステム。
【請求項２１】
前記フリート管理ステーションが、前記コンテンツマネージャから認証を受信して、特定のコンテンツを特定の産業用携帯型装置へダウンロードし、前記認証を使用して前期特定の産業用携帯型装置に前記コンテンツのみをダウンロードすることができる、請求項１乃至請求項２０のいずれか１項に記載の複数の産業用携帯型装置を管理するシステム。
【請求項２２】
産業用携帯型装置の一団が、第１の産業用の場所にあり、前記フリート管理ステーションが、前記産業用の場所の第２の遠隔場所に配置され、前記産業用携帯型装置の一団が、外部公衆通信ネットワークを介して、前記フリート管理ステーションと通信可能に接続する、請求項１乃至請求項２１のいずれか１項に記載の複数の産業用携帯型装置を管理するシステム。
【請求項２３】
前記コンテンツレポジトリが、前記産業用携帯型装置の１つ以上の構成情報を受信し、保存する、請求項１乃至請求項２２のいずれか１項に記載の複数の産業用携帯型装置を管理するシステム。
【請求項２４】
前記コンテンツマネージャが、前記コンテンツレポジトリ内に保存された構成情報を新しいコンテンツとして前記産業用携帯型装置の１つ以上に提供する、請求項２３に記載の複数の産業用携帯型装置を管理するシステム。
【請求項２５】
分散型手法で、複数の産業用装置に提供されるコンテンツを管理する方法であって、
第１の場所の装置コンテンツ情報レポジトリ内の前記複数の産業用装置それぞれの中の現在のコンテンツの指示を保存するステップと、
前記第１の場所のコンテンツレポジトリ内の前記産業用装置の異なるものに保存され、実行されるコンテンツを保存するステップと、
前記第１の場所のプロセッサを介して、前記複数の産業用装置の１つ以上の中の前記現在のコンテンツの指示に基づいて、かつ前記コンテンツレポジトリ内の前記入手可能なコンテンツに基づいて、前記第１の場所から遠隔の第２の場所で使用する前記産業用装置の１つ以上に提供されるコンテンツの指示を判定するステップと、
前記産業用装置の１つ以上に提供されるコンテンツの前記判定された指示を使用して、前記第１の場所の前記コンテンツレポジトリから安全通信接続を介してフリート管理ステーションへコンテンツを送信するステップであって、前記コンテンツが、前記第２の場所の前記複数の産業用装置の１つ以上に提供されるステップとを含む、方法。
【請求項２６】
前記第１の場所のコンテンツレポジトリにコンテンツを保存するステップが、ソフトウェアアプリケーション、フィールドデバイスドライバ、ユーザ支援情報、技術支援情報、及びファームウェア特性のうちの１つ以上を保存するステップを含む、請求項２５に記載の方法。
【請求項２７】
前記第１の場所のコンテンツレポジトリにコンテンツを保存するステップが、ソフトウェアアプリケーションのアップグレードを保存するステップを含む、請求項２５又は請求項２６に記載の方法。
【請求項２８】
新しいコンテンツが前記複数の産業用装置の１つに入手可能と判定された場合、前記フリート管理ステーションへ通知を生成し、電子通信を介して、前記フリート管理ステーションへ前記通知を送信するステップをさらに含む、請求項２５乃至請求項２７のいずれか１項に記載の方法。
【請求項２９】
前記第１の場所で購入または認可を介して新しいコンテンツの取得の指示を受信し、前記新しいコンテンツの取得に基づいて、前記産業用装置の１つ以上に提供されるコンテンツの指示を判定するステップをさらに含む、請求項２５乃至請求項２８のいずれか１項に記載の方法。
【請求項３０】
前記第１の場所に装置構成情報を保存するステップをさらに含み、前記産業用装置の１つ以上に提供されるコンテンツの指示を判定するステップが、前記装置構成情報に基づいて、前記産業用装置の１つ以上に提供されるコンテンツの指示を判定するステップを含む、請求項２５乃至請求項２９のいずれか１項に記載の方法。
【請求項３１】
ユーザが、前記第２の場所で前記装置構成情報を特定し、前記第１の場所へ記憶用に前記装置構成情報を送信することを可能にするステップをさらに含む、請求３０に記載の方法。
【請求項３２】
前記第２の場所のユーザが、１つ以上の構成形式を介して電子的に前記装置構成情報を提供することを可能にするステップをさらに含む、請求項３０又は請求項３１に記載の方法。
【請求項３３】
前記第２の場所のユーザが、前記産業用装置の１つ以上の認可されたユーザの指示、前記産業用装置の１つ以上が限られている認可されたユーザの指示、前記産業用装置の１つ以上を使用するために実施するセキュリティ手順の指示、または、産業装置と関連する構成の１つ以上のレベルの指示の形式で電子的に装置構成情報を提供することができるようにするステップをさらに含み、構成の各レベルが、異なる構成パラメータを有する、請求項３０乃至請求項３２のいずれか１項に記載の方法。
【請求項３４】
前記第２の場所に配置された二次コンテンツレポジトリ内の前記コンテンツレポジトリから提供された前記コンテンツを保存するステップ及び前記二次コンテンツレポジトリから前記産業用装置の１つ以上へ前記コンテンツをダウンロードするステップをさらに含む、請求項２５乃至請求項３３のいずれか１項に記載の方法。
【請求項３５】
無線通信接続を介して、前記二次コンテンツレポジトリから前記産業用装置の１つ以上へ前記コンテンツをダウンロードするステップをさらに含む、請求項３４に記載の方法。
【請求項３６】
特定の産業用装置用のコンテンツをダウンロードし、前記コンテンツを認証を用いて前記第２の場所の前記特定の産業用装置へダウンロードするとき、前記第１の場所から前記第２の場所へ前記認証を提供するステップをさらに含む、請求項２５乃至請求項３５のいずれか１項に記載の方法。
【請求項３７】
前記第１の場所の前記コンテンツレポジトリから安全通信接続を介して前記第２の場所のネットワーク内に配置されたフリート管理ステーションへコンテンツを送信するステップが、前記第１の場所の携帯型記憶媒体にコンテンツを保存するステップと、前記携帯型記憶媒体を前記第２の場所へ物理的に移送するステップと、前記携帯型記憶媒体から前記第２の場所の前記フリート管理ステーションへ前記コンテンツを提供するステップとを含む、請求項２５乃至請求項３６のいずれか１項に記載の方法。
【請求項３８】
第１の場所の前記装置コンテンツ情報レポジトリ内の前記複数の産業用装置それぞれの中の前記現在のコンテンツの指示を保存するステップが、前記第２の場所から前記第１の場所へ前記複数の産業用装置それぞれの中の前記現在のコンテンツの指示を送信するステップを含む、請求項２５乃至請求項３７のいずれか１項に記載の方法。
【請求項３９】
携帯型装置フリート管理システムであって、
プラント内で使用する複数の携帯型装置であって、前記携帯型装置それぞれが、無線通信インタフェースを備える携帯型装置と、
前記複数の携帯型装置のぞれぞれの中の前記現在のコンテンツの指示を保存する携帯型装置コンテンツ情報レポジトリと、
前記携帯型装置の様々なものに保存され、実行されるコンテンツを保存するコンテンツレポジトリと、
安全通信接続を介して前記コンテンツレポジトリに通信可能に接続されて、前記複数の携帯型装置の様々なもののコンテンツを受信し、前記携帯型装置コンテンツ情報レポジトリに通信可能に接続されて、前記携帯型装置の１つ以上の中の前記現在のコンテンツについて前記携帯型装置コンテンツ情報レポジトリへ情報を提供するフリート管理ステーションと、
前記携帯型装置コンテンツ情報レポジトリ及び前記コンテンツレポジトリに結合され、コンピュータのプロセッサを介して実行して、前記複数の携帯型装置の１つ以上の中の前記現在のコンテンツの指示に基づいて、及び前記コンテンツレポジトリの前記入手可能なコンテンツに基づいて、前記携帯型装置の１つ以上に提供されるコンテンツを判定し、かつ前記判定したコンテンツを前記フリート管理ステーションへ通知するために実行するコンテンツマネージャと、
前記フリート管理ステーションから前記複数の携帯型装置の１つ以上へ新しいコンテンツの通信を可能にする前記フリート管理ステーションと前記複数の携帯型装置の１つ以上との間に通信可能に配置された無線ネットワークアクセスポイントとを備える、システム。
【請求項４０】
前記コンテンツレポジトリが、ソフトウェアアプリケーション、フィールドデバイスドライバ、ユーザ支援情報、技術支援情報、及びファームウェア特性のうちの１つ以上を含むコンテンツを保存する、請求項３９に記載の携帯型装置フリート管理システム。
【請求項４１】
前記コンテンツマネージャ及び前記フリート管理ステーションに通信可能に結合される通知ユニットをさらに含み、前記コンテンツマネージャが、新しいコンテンツが前記複数の携帯型装置の１つに入手可能と判定するとき、前記通知ユニットが、電子通信を介して、前記フリート管理ステーションへ通知を送信することをさらに含む、請求項３９又は請求項４０に記載の携帯型装置フリート管理システム。
【請求項４２】
前記コンテンツマネージャが、ビジネスコンピュータに通信可能に結合されて、購入または認可を介して新しいコンテンツの取得の指示を受信し、前記コンテンツマネージャが、コンピュータのプロセッサを介して実行して、前記複数の携帯型装置の１つ以上の中の前記現在のコンテンツの指示に基づいて、かつ新しいコンテンツの取得の指示に基づいて、前記新しいコンテンツが前記携帯型装置の１つ以上提供されるかどうかを判定する、請求項３９乃至請求項４１のいずれか１項に記載の携帯型フリート管理システム。
【請求項４３】
前記携帯型装置コンテンツ情報レポジトリが、携帯型装置構成方法を保存し、前記コンテンツマネージャが、コンピュータのプロセッサを介して実行して、前記複数の携帯型装置の１つ以上の中の前記現在のコンテンツの指示に基づいて、かつ前記携帯型装置構成情報に基づいて、コンテンツを前記携帯型装置の１つ以上に提供するかどうかを判定する、請求項３９乃至請求項４２のいずれか１項に記載の携帯型装置フリート管理システム。
【請求項４４】
前記フリート管理ステーションが、構成モジュールを含んで、前記フリート管理ステーションのユーザが、前記携帯型装置構成情報を提供すること、及び前記携帯型装置コンテンツ情報レポジトリへ前記携帯型装置構成情報を送信することができるようにする、請求項４３に記載の携帯型装置フリート管理システム。
【請求項４５】
前記携帯型装置コンテンツ情報レポジトリ、前記コンテンツレポジトリ、及び前記コンテンツマネージャが、第１の通信ネットワークに配置され、前記フリート管理ステーションが、セキュアな通信リンクを介して前記第１の通信ネットワークに結合された第２の通信ネットワークに配置される、請求項３９乃至請求項４４のいずれか１項に記載の携帯型装置フリート管理システム。
【請求項４６】
前記コンテンツマネージャ及び前記コンテンツレポジトリが、第１の通信ネットワークに配置され、前記フリート管理ステーションが、セキュアな通信リンクを介して前記第１の通信ネットワークに結合される第２の通信ネットワークに配置され、さらに前記第２の通信ネットワークに配置され、前記フリート管理ステーションに結合される二次コンテンツレポジトリを含み、前記フリート管理ステーションが、前記第１の通信ネットワーク内の前記コンテンツレポジトリから前記二次コンテンツレポジトリへ新しいコンテンツをダウンロードし、前記二次コンテンツレポジトリが、前記産業用携帯型装置の１つ以上へ前記新しいコンテンツをダウンロードする、請求項３９乃至請求項４５のいずれか１項に記載の携帯型装置フリート管理システム。
【請求項４７】
前記コンテンツレポジトリが、前記携帯型装置の１つ以上用の構成情報を受信し、保存する、請求項３９乃至請求項４６のいずれか１項に記載の携帯型装置フリート管理システム。
【請求項４８】
前記コンテンツマネージャが、前記コンテンツレポジトリ内に前記保存された構成情報を新しいコンテンツとして前記携帯型装置の１つ以上に提供されるようにする、請求項４７に記載の携帯型装置フリート管理システム。